(57)【要約】【課題】  宗教・宗派にとらわれずに現代生活に適合したかたちで誰もが快適に使用することができ、また、構造が簡素でコンパクトであっても精神性・神話性・空間的な広がりを感じることができ、電気配線等の煩わしい構造を必要としない、さらに室内装飾品又は美術品としても観賞に値する木工品を提供する。【解決手段】  １本の木に由来する木塊が複数の木片に分割され、それらの木片の分割面の少なくとも一部が、元の木塊の外形が再構成されるように固定されている木工品であって、外部とつながる内部空間を有する木工品、及びその製造方法。【選択図】  図８
2005118479.tif 000002
【特許請求の範囲】
【請求項１】
１本の木に由来する木塊が複数の木片に分割され、それらの木片の分割面の少なくとも一部が、元の木塊の外形が再構成されるように固定されている木工品であって、外部とつながる内部空間を有する木工品。
【請求項２】
前記内部空間にステージ状部分が存在する、請求項１記載の木工品。
【請求項３】
前記内部空間に階段状部分が存在する、請求項１又は２記載の木工品。
【請求項４】
前記木塊の上面又は側面に、光透過性素材で塞いだ貫通孔を有する、請求項１〜３のいずれか１項記載の木工品。
【請求項５】
前記内部空間に収容される偶像を含む、請求項１〜４のいずれか１項記載の木工品。
【請求項６】
前記内部空間のステージ状部分に含鉄金属片又は磁石が取り付けられている、請求項２〜５のいずれか１項記載の木工品。
【請求項７】
前記偶像の底部に、この偶像が内部底面に着脱自在に固定されるように磁石又は含鉄金属片が取り付けられている、請求項５又は６記載の木工品。
【請求項８】
前記木塊に、収納部分が設けられている、請求項１〜７のいずれか１項記載の木工品。
【請求項９】
木工品が、宗教的木工品又は室内装飾品である、請求項１〜８のいずれか１項記載の木工品。
【請求項１０】
１本の木に由来する木塊を複数の木片に分割する工程、それらの複数の木片の形態を、それらを組み合わせて木塊の外形を再構成したときに木塊に外部とつながる内部空間が形成されるように加工する工程、及びそれらの加工された木片の分割面の少なくとも一部を固定して元の木塊の外形を再構成する工程を含む、木工品の製造方法。
【発明の詳細な説明】
【技術分野】
【０００１】
本発明は、室内に置かれるべき木工品、特に人の精神の拠り所としての価値を有するものを収容したり、それ自体を観賞したりするための木工品及びその製造方法に関する。具体的には、仏壇、厨子、祭壇等として使用可能な宗教的な意味を有する木工品、特定の宗教とは関係なく一般に人間の神仏や霊的な存在等に対する畏敬の念・祈り・想いに関する各種偶像の安置場所としての木工品、及び室内装飾的な価値を有する木工品、ならびにそれらの製造方法に関する。
【背景技術】
【０００２】
従来、一般家庭においては、たとえば仏壇、神棚、キリスト教式の祭壇等の特定の宗教的様式に則った構造物が、日常的な神仏、霊的な存在、祖先に対する畏敬の念を注ぐ対象又はその安置場所あるいは精神的な拠り所となる対象として用いられてきた。
【０００３】
このような従来の構造物（以下「仏壇等」という）は、一般に板材及び柱材を組み合わせた比較的大きな箱型の形状を有していることが多い。しかし、そのような仏壇等は、現代の都市生活者の住宅事情からみて不都合な大きさだったり、全体的な室内環境・趣味に必ずしも適合しない、といった問題がある。そこで、これらの点を改善するために、構造上の工夫がされたものとしては、小型化された仏壇等、又は折りたたみや持ち運びを可能にした仏壇等が、また、デザイン上の工夫がされたものとしては、いわゆる洋風の仏壇等、現代的デザインの仏壇等及び家具調の仏壇等が、各種考案されており、さらにはそれらの特徴を組み合わせたものも考案されている。
【発明の開示】
【発明が解決しようとする課題】
【０００４】
しかし、上記のような従来の仏壇等は、特定の宗教・宗派ごとに決まっている様式や構造についての制約が大きく、大幅にそれらを変更できないという問題がある。また、そのような制約の中で単に小型化又は簡素化したり、家具のような外観にしたりすることによって、本来の目的からみて必須である宗教的な重厚さ、荘厳さや、精神性、神話性が損なわれてしまうという問題がある。
【０００５】
また、従来の仏壇等は特定の宗教・宗派に照準を合わせて設計されているので、いわゆる無宗教であって特定の宗教・宗派にとらわれたくはないが室内に置くことができる精神的な拠り所が欲しいといった需要者が利用するには適さない。
【０００６】
さらに、従来の仏壇等は、構造が複雑で、様々な大きさ・形の板材及び柱材からなる多数の部品を組み合わせて構築されているため、立派なものを製造するには熟練した職人の技術を必要とし、製造コストも相当のものとなる。また、内部を照らす等の種々の目的を達するために、仏壇等の内部に電灯や複雑な電気配線が設けられていることも多い。そのため、日常的な手入れ・維持管理に手間がかかるうえ、火災の発生の危険性もある。
【０００７】
そこで、本発明は、上記のような諸問題を解決した、宗教・宗派にとらわれずに現代生活に適合したかたちで誰もが快適に使用することができ、また、構造が簡素でコンパクトであっても精神性・神話性・空間的な広がりを感じることができ、電気配線等の煩わしい構造を必要としない、さらに室内装飾品又は美術品としても観賞に値する木工品を提供することを目的とする。
【課題を解決するための手段】
【０００８】
本発明の木工品は、１本の木に由来する木塊が複数の木片に分割され、それらの木片の分割面の少なくとも一部が、元の木塊の外形が再構成されるように固定されている木工品であって、外部とつながる内部空間を有する木工品である。
【０００９】
好ましくは、外部につながる内部空間には、ステージ状部分が存在し、及び／又は、階段状部分が存在することもできる。
【００１０】
木塊の上面又は側面には、光透過性素材で塞いだ貫通孔を設けることができる。
【００１１】
内部空間には、偶像を収容することができ、本発明の木工品は、ある態様においては収容されるべき偶像をも含む。
【００１２】
内部空間のステージ状部分には、任意の収容物を着脱自在に固定するための含鉄金属片又は磁石が取り付けられていることができる。一方、本発明の木工品がそこに収容されるべき偶像をも含む場合には、その偶像の底部に、この偶像が内部底面に着脱自在に固定されるように磁石又は含鉄金属片が取り付けられていることができる。
【００１３】
また、本発明の木工品においては、木塊に、収納部分が設けられていることができる。収納部分は、内部空間とは別に設けられた穴であることができる。
【００１４】
本発明の木工品は、宗教的木工品又は室内装飾品であることができる。
【００１５】
本発明は、木工品の製造方法をも提供する。本発明の方法は、１本の木に由来する木塊を複数の木片に分割する工程、それらの複数の木片の形態を、それらを組み合わせて木塊の外形を再構成したときに木塊に外部とつながる内部空間が形成されるように加工する工程、及びそれらの加工された木片の分割面の少なくとも一部を固定して元の木塊の外形を再構成する工程を含むことを特徴とする。
【発明の効果】
【００１６】
本発明の木工品は、１本の木に由来する木塊を基本的な素材としているため、単なる板材・柱材を組み合わせて製造される従来の仏壇等と比較して、木塊そのもののもつ重量感や、自然素材特有の価値がより強調され、見る者に高い精神性を感じさせることができる。すなわち、本発明の木工品は、収納家具的製法で作られる従来の仏壇等とは根本的に製造方法が異なり、それらの仏壇等とは全く違った空間の雰囲気を生み出すことができる。そのため、それによって、実際には小さい木工品であっても、宗教的な聖地の寺院・教会、たとえばインドや中国に多く見られる石窟の内部のような「祈りの空間」が表現され、そのような場所と同様の荘厳な空気や空間的な広がりを、限られた内部空間から感じさせることができる。
また、特に、自然の立ち木と同様に木目がすべて縦に通り、年輪も乱れがないように再構成された態様については、自然の立ち木に存在する洞（うろ）と同じ質感のより神秘的な空間をも創出することができる。
【００１７】
したがって、本発明の木工品は、もともと大きい又は複雑なものを単に小型化又は簡素化したような不自然さがなく、安っぽさや粗末な感じを与えずに現代的な室内空間に自然と適合する。また、いわゆる無宗教であって特定の宗教・宗派にとらわれた様式を望まない需要者や、故人又は神仏のみでなく、たとえば失ったペットのために、大げさではないが心のこもった記念塔を持ちたい需要者等の要望に応えることができる。
【００１８】
本発明の木工品は、構造がシンプルであり、いったん設計されれば、特に熟練工の特殊な技術を必要とせずに単純な操作を繰り返すことによって製造することができる。したがって、本発明の木工品及び製造方法は、製造面及びコストの点でも有利である。
【００１９】
また、本発明により、本体内部空間に照明のための電気配線や電球を設置する必要がなくなり、内部に配線や光源を設置している従来の仏壇等と比較して構造上の問題やメンテナンスの問題も解決される。また、配線や電球の過熱による火災の危険もなくなり、安全性が向上する。
【００２０】
さらに、本発明の木工品の内部空間には、種々の任意の偶像を納めることができる。その場合、内部空間のステージ状部分に含鉄金属片又は磁石を取り付けてある態様の本発明の木工品によれば、その偶像が磁石のついたもの又は磁石によって引き寄せられるものであれば偶像を内部底面に着脱自在に固定することができ、木工品に多少の衝撃又は振動が加えられても偶像が倒れたり落下したりすることがないので、有利である。
【００２１】
本発明の木工品には、収納部を設けてそこにたとえばカプセルに入れた故人の遺品、写真、思い出の品、その他任意の物を収容しておくことができる。そのようにすることにより、所有者にとっての本発明の木工品の精神的な意味・価値を高めることができる。
【発明を実施するための最良の形態】
【００２２】
本発明に関して、「宗教的木工品」とは、特定の宗教・宗派にとらわれず、さらには一般的な意味での宗教に限らず、人が広い意味での神仏、霊的な存在、祖先等に対する畏敬、信仰、崇拝、思慕等の思念を注ぐべき対象又はその安置場所としての構造物を指す。宗教的木工品それ自体には、上記のように特定の宗教・宗派等と積極的に関連する要素は必要ないが、そのような要素は存在してもよく、また、そのような要素の有無に関わらず、使用者が特定の宗教・宗派に関連する目的で（たとえば仏壇として）使用することは自由である。
【００２３】
本発明に関して、「室内装飾品」とは、上記のような特定の精神的活動とは必ずしも関連しないが、そのものの美的印象・雰囲気を味わうため又はそのものの存在によって室内の印象・雰囲気に望ましい影響を与えるために室内に置いておくものを指す。具体的には、彫刻作品等の美術工芸品、置物等が挙げられる。本発明の木工品は、このような宗教的木工品又は室内装飾品であることができ、あるいはその両方の機能を兼ね備えていることもできる。
【００２４】
これに対し、「仏壇等」とは、既に上記で説明したように、一般に家庭内で日常的な神仏、霊的な存在、祖先に対する畏敬、信仰、崇拝等の思念を注ぐ対象又はその安置場所あるいは精神的な拠り所となるべき構造物のうち、従来から存在する、特定の宗教的様式に則った仏壇、神棚、キリスト教式の祭壇等の構造物を指す。
【００２５】
本発明に関して、「偶像」という用語は、通常は宗教的木工品に納められるものであって、信仰・崇拝・思慕のような人の精神的活動の拠り所となるべき対象物の総称として用いられ、具体的には、仏像、仏画、位牌、十字架のような宗教的象徴物；人物・動物その他を表現した彫刻、塑像等の造形物；遺髪、貝殻、骨、角、石のような生物又は天然物由来の固体物；写真、絵画又はそれらを入れたフレーム等の平面的対象物等を含む。したがって、偶像の素材としては、木をはじめとして紙、石、土、石膏、金属、陶器、磁器、ガラス、合成樹脂等、任意のものであることができるが、好ましくは木、特に木塊と同じ種類の木であり、木塊の木片から切除された部分であることができる。
【００２６】
本発明の木工品は、１本の木に由来する木塊を素材とし、そのような木塊が複数の木片に分割された後、それらの木片の分割面の少なくとも一部が、元の木塊の外形が再構成されるように固定されたものである。この木工品は、木塊が予め設計されたとおりに木片に分割された状態で、それぞれの木片の一部が切除、彫刻、掘削、穿孔等の加工を施され、その後、これらの加工された木片が元の木塊の外形を再構成するように組み合わされて必要箇所が固定された構造を有するものであって、木片の加工によって再構成後には内部に空間が存在する。
【００２７】
本発明の木工品は、木塊の一部として取り外し又は開閉しうる蓋、扉等の可動部分を有していてもよく、またそのような部分を有していなくてもよい。そのような可動部分以外の部分を、「本体」と呼ぶ。
【００２８】
本発明の木工品の素材となる木塊は、１本の樹木に由来するものであればよく、樹木の種類・塊の形状を問わない。また、本発明の木工品は、通常は１個の木塊から形成されることが好ましいが、１本の木に由来する限りにおいて必要に応じて２個以上の木塊が使用されてもよい。木塊としては、一般には木の幹又は枝から切り出した角柱状、円柱状、角錐状、円錐状、楕円柱状、台形等又はこれらの中間的なもの等の各種の形態の整形された塊、あるいは輪切りの丸太等の整形されていない塊が用いられる。いずれの形態の木塊であっても、木塊のある特定の側面を「正面」とした場合に、その両側に位置する側面を単に「側面」又は「左又は右側面」又は「両側面」、正面と相対する位置の側面を「背面」、下側に位置し、置き場所と接する面を「外側底面」又は「裏面」、上側にあって外側底面と相対する位置の面を「上面」と呼ぶことがあるが、これらは便宜上の呼称であって、ある木塊が必ずしもこれらすべての面を有している必要はなく（たとえば角錐型）、また、これらの面は必ずしも明確に他の面と区別できるものである必要もない（たとえば円柱型）。
【００２９】
木塊の材質としては、特に制限はなく、一般に家具又は仏壇等に使用されるものでよく、たとえばヒノキ、スギ、マツ、イチョウ、マキ、ケヤキ、ヒバ、黒檀、紫檀、カリン、ローズウッド、サクラ、クルミ、クワ、クロカキ等が挙げられる。加工のし易さの点ではヒバが好ましい。また、宗教的な意味合いとの関連によってはビャクダン、紫檀等も好ましい。
【００３０】
このような木塊は、いったん複数の木片に分割される。この分割は、通常、木塊を縦に切ること及び横に切ることを数回繰り返すことによって行うことができる。切断手段は、特に制限されないが、一般には鋸、特に帯のこを使用すると容易に行うことができる。本発明において、「分割面」とは、木片の表面のうち、分割前の木塊には存在せず、このような分割によって新たに現れた面を指す。
【００３１】
本発明の木工品は、各木片が後の工程で元の木塊の外形を復元するように再構成されたときに、木塊の内部に外部とつながる空間ができるように設計される。分割された木片は、設計図にしたがってそれぞれ一部に切除、彫刻、穿孔又は掘削等の加工を施されたり、あるいはそのままの形で次の工程まで置かれたりする。「木塊の外形を復元するように再構成する」とは、分割された各木片を、木片に分割する前の木塊と実質的に同じ外形になるように組み合わせることを指し、好ましくは、これは、各木片を木塊において分割前と同じ空間的位置に配置して行う。さらに、木塊を、その樹木が生えていたのと同じように、すなわち年輪が横方向になるような向きで用いると、自然の立ち木と同じように木目が縦に通っており、年輪も自然のままとなり、自然の立ち木に存在する洞（うろ）と同様の質感の空間を創出することができるので、好ましい。
【００３２】
木塊の内部空間は、１箇所以上の開口部を通じて外部と通じるものであればよく、この外部とつながる開口部は、通常は少なくとも木工品の正面に存在する。それに加えて、側面等に窓のような開口部を設けてもよい。内部空間の形状には特に制限はない。内部空間の底面、すなわち内部底面（床面ともいうことがある）は、洞穴のように凹凸があってもよいが、水平かつ平坦になるように設計されていると、内部に偶像等を収容するのに好都合である。本発明に関しては、このような水平かつ平坦な内部底面部分を「ステージ状部分」と呼ぶ。たとえば、本体の開口部から奥へ向かって洞穴のような凹凸のある側面、天井面及び床面を有する空間を形成し、その奥にステージ状部分を設けてもよく、あるいは、本体の内部底面の開口部付近を平坦にし、その奥を階段状にし、そのさらに奥の高い位置にステージ状部分を設けてもよい。
【００３３】
内部空間は、開口部に開閉自在の扉を設けることによって、すなわち、たとえば扉を構成する木片を蝶番で木塊の本体部分に連結することによって、通常は外部から見えないようにしてもよい。
【００３４】
各木片の必要な加工がされた後、各木片の分割面のうち少なくとも一部を固定して木塊の外形が再構成される。固定手段は特に制限されないが、好ましくは接着である。木片の接着は、一般に、木材の接着に通常使用される接着剤によって行われる。たとえば市販の木工用ボンド等を使用することができる。
【００３５】
本発明の木工品は、木の素材をそのまま生かした仕上げであってもよいが、目的とする全体的な雰囲気に応じて各種塗料で着色したり、金箔等を用いて仕上げしてもよい。たとえば木目のままの仕上げにすると自然との一体感を強めることができ、白一色に塗装すると、ギリシャの神殿のような印象を感じさせることができる。
【００３６】
本発明の木工品には、その本体の上面又は側面等に１個又は複数の貫通孔を設け、そこを光透過性素材で塞ぐことにより、内部に電気配線や電球を設置することなく、外部光源の光を導入して内部空間を照らしうるようにすることができる。光透過性素材は、好ましくはガラス、樹脂、及び石英のような光ファイバー材であり、特に好ましくは樹脂の光ファイバー材であり、貫通孔を完全に塞ぐものであることができる。このような光透過性素材は、外側及び／又は内部空間側を着色しておくことにより、ステンドグラスのような効果を生じることができる。
【００３７】
外部光源としては、豆電球等を組み込んだ光源用の部品を本体に載せたり、あるいはスポットライトを本体から離れた位置から当てたりすることができる。このようにして、好みに応じて微妙な陰影を演出することができる。
【００３８】
光量は、貫通孔の大きさ、数、形によっても調節することができ、また、電球等の外部光源のワット数や大きさ、光源と貫通孔との距離等によっても適宜調節することができる。
【００３９】
本発明の木工品は、内部空間に任意の偶像を置くことができる。本発明の木工品においては、任意の偶像であっても、又は本発明の木工品において使用するために設計・製造された偶像であっても、それを内部空間に置く場合、偶像の底部と、それを置くべき内部底面とに、一方には鉄を含む金属片、他方には磁石をそれぞれ対応するように取り付けておくことができる。あるいは、互いに引き付けあうように偶像と内部底面との両方に磁石を取り付けておいてもよい。好ましくは、偶像側に磁石、内部底面側に金属の薄板を設ける。こうすることにより、狭い空間の中でも多少の衝撃・振動によって偶像が移動したり倒れたり落下したりすることがなく、偶像の位置や向きを自在に固定することができ、さらにいったん固定した位置等を容易に変更することができる。
【００４０】
また、本発明の木工品には、収納部分を設けることができる。収納部分は、内部空間とは別に、たとえば木塊の底部（外側底面；裏面）又は背面のような本体の任意の位置に適当な大きさの穴を作製して設けることができる。この穴は、その上を蓋で覆うことができるようにしてもよい。このような収納部分には、たとえば小さなカプセルに入れた故人の遺品、思い出の品、写真等を収納しておくことができる。
【００４１】
本発明の木工品は、比較的シンプルであり、そのことによって安っぽい印象を与えることなく、むしろセンスのよさ、高級感、現代的な美意識を感じさせることができるが、より豪華な印象を求められる場合には、扉や窓に透かし彫り、蒔絵、螺鈿等の装飾的な細工をさらに施してもよい。
【００４２】
以下、図面を参照して本発明のいくつかの態様の実施例を説明する。
【実施例１】
【００４３】
図１〜３は、本発明の木工品の１つの態様を製造する過程及び完成した木工品を表す。図１は、１本の木に由来する角柱状の木塊である。図２は、図１の木塊を、縦・横に切断する操作を繰り返すことにより所定の数の木片に分割し、これらの各木片を設計図にしたがってそれぞれの形状に加工した後の図、すなわち分解図である。図３は、図２の各木片の分割面のうち他の木片の分割面と接する部分（開口部又は内部空間の表面にならない部分）を接着剤で接着して元の木塊の外形を再構成した後の図、すなわち本発明の木工品の見取り図（完成図）である。
【００４４】
図４は、この態様の木工品を正面から見た図である。点線は、側面の開口部を示す。図５は、この態様の木工品の平面図である。点線は、正面開口部の位置を表している。図６は、この態様の木工品の右側面図である。
【００４５】
この態様においては、木工品の正面がアーチ状の開口部となっているほか、両側面に四角形の窓状の開口部が設けられている。これらの開口部が大きく、内部空間が比較的開放的であるため、開口部から光が充分に内部に取り
入れられる。したがって、外部光を導入するための貫通孔は設けられていない。
【実施例２】
【００４６】
図７及び８は、本発明の木工品の別の態様の分解図及び見取り図を表す。この態様もまた、図１と同様の木塊を素材としている。図９は、この態様の木工品を正面、すなわち開口部側から見た図である。点線は、ステージ状部分の空間を示す。図１０は、図９のａ−ａ線を含む水平面で切断した平断面図である。点線の丸は、偶像を置く位置を表している。図１１は、この態様の木工品の側断面図である。
【００４７】
この態様においては、正面の開口部は四角いシンプルな形である（図９）。内部底面は、正面の開口部付近では平坦であり、続いて階段状部分がある（図１１）。階段は、入り口から奥へ向かって幅が狭くなっており（図１０）、実際以上の奥行きが感じられるようになっている。この階段の上がステージ状部分となっており、この部分は間口が階段上部よりも広く、背面が円筒のような曲面になっている（図１０）。開口部が正面のみであるため、ステージ状部分の上部を構成する木片に、外部光を導入するための貫通孔が設けられており、この貫通孔には光透過性素材（光ファイバー）４が充填されている（図７、８、１１）。
【００４８】
また、この態様においては、内部空間の天井に相当する部分は２つのドーム状の曲面の組合せになっている（図９、１１）。１つは開口部から階段上までの天井を構成し、階段の上部でアーチ状になっている。もう１つはステージ状部分の天井を構成する。このような天井により、開口部が直線的なデザインであるが、正面から見ると曲線的な印象も与えられる。ステージには図に示す人物像のような偶像が置かれる。
【００４９】
図１１によれば、内部空間１の形状、ドーム型の天井、階段状部分３とステージ状部分２との位置関係等がわかる。ステージ状部分の上部に設けられた貫通孔にはめ込まれた光透過性素材４から外部の光が導入され、偶像５が効果的に照らされる。また、この図では、偶像の底部に磁石６が取り付けられており、一方、ステージ状部分には薄板状の金属片７が埋め込まれていることが示されている。さらに、ステージ状部分の下に位置する木塊本体９の厚い部分には木塊の底面（外側底面）側に筒型の空洞として収納部分８が設けられている。
【実施例３】
【００５０】
図１２及び１３は、本発明の木工品のさらに別の態様の分解図及び見取り図を表す。この態様もまた、図１のような木塊から出発する。木塊は、図１２のように各木片に分割され、加工された後に、図１３のように接着され、本発明の木工品が完成する。
【００５１】
図１４は、この態様の木工品を正面から見た図である。点線は背面の開口部と床面との境界線を示す。図１５は、図１４のａ−ａ線での平断面図である。図１６は、右側面から見た図である。傾斜した内部底面及びややドーム状の天井が点線で示されている。
【００５２】
この態様においては、変形十字型の天井及び床面を四隅の柱で挟むような基本構造となっており（図１２、１５）、開口部は、正面のほか、両側面及び背面にも存在し、いずれも長方形である（図１３〜１５）。背面の開口部の両側面は内部空間側では円柱状にカーブしている（図１２、１３、１５）。図１５によれば、床面は、正面の開口部から奥へ向かって上昇するゆるい傾斜が点線の位置まで続き、点線の位置より奥は水平である。上面を構成する木片には外部光源の光を内部に導入するための光透過性素材で塞がれた貫通孔が設けられている。したがって、内部空間は先の２例と比較して自ずと明るい印象となる。
【実施例４】
【００５３】
図１７及び１８は、本発明の木工品のさらに別の態様を表す図である。この態様では、開口部に扉が設けられており、この扉は、外部から見えないように取り付けられた蝶番によって開閉可能となっている。図１７は扉が閉じた状態の斜視図であり、外見上、素材である木塊と同じ形態に見える。図１８は扉を開けた状態の斜視図であり、蝶番と内部空間が示されている。扉は、内側が曲線状にカットされており、したがって、本体の開口部も曲線状となっている。
【実施例５】
【００５４】
図１９〜２１は、本発明の別の態様の木工品の側断面と、外部光源の設置例とを示す図である。図１９は、本体の上面の平面図である。本体の上面には、光透過性素材がはめ込まれた貫通孔が設けられている。点線は、内部空間の形状を表す。図２０は、図１９のｂ−ｂ線で切断した側断面図である。豆電球を含むユニット型の外部光源１１が、本体の上面に設けられた貫通孔にはめ込まれた光透過性素材４のすぐ上に、本体と接するように載せられている状態を示す。矢印は、透過した光を表す。
【００５５】
図２１は、同じ態様の木工品に対し、別の外部光源を設置した状態を示す。この例では、スポットライト型の外部光源１１が、本体の上面に設けられた貫通孔にはめ込まれた光透過性素材４の真上に位置する上方に、本体から距離をおいて設置されている。
【００５６】
図２２は、図２０及び２１において側断面図で示した態様のステージ状部分及び偶像の拡大図である。偶像６の底部には磁石６が取り付けられており、ステージ状部分２には板状の金属片（鉄板）７が入れられている。
【図面の簡単な説明】
【００５７】
【図１】本発明の素材である木塊の一例を示す図である。
【図２】実施例１の態様の木工品の分解図である。
【図３】実施例１の態様の木工品の見取り図（完成図）である。
【図４】実施例１の態様の木工品の正面図である。
【図５】実施例１の態様の木工品の平面図である。
【図６】実施例１の態様の木工品の右側面図である。
【図７】実施例２の態様の木工品の分解図である。
【図８】実施例２の態様の木工品の見取り図（完成図）である。
【図９】実施例２の態様の木工品の正面図である。
【図１０】図９のａ−ａ線平断面図である。
【図１１】実施例２の態様の木工品の側断面図である。
【図１２】実施例３の態様の木工品の分解図である。
【図１３】実施例３の態様の木工品の見取り図（完成図）である。
【図１４】実施例３の態様の木工品の正面図である。
【図１５】図１４のａ−ａ線平断面図である。
【図１６】実施例３の態様の木工品の右側面図である。
【図１７】実施例４の態様の木工品の扉を閉めた状態の見取り図である。
【図１８】実施例４の態様の木工品の扉を開けた状態の見取り図である。
【図１９】実施例５の態様の木工品の平面図である。
【図２０】図１９のｂ−ｂ線側断面図を、本体上部に設置した外部光源による内部空間の照明と共に示す図である。
【図２１】図１９のｂ−ｂ線側断面図を、本体から離して設置した外部光源による内部空間の照明と共に示す図である。
【図２２】図２０及び２１のステージ状部分及び偶像の拡大図である。
【符号の説明】
【００５８】
１      内部空間
２      ステージ状部分
３      階段状部分
４      光透過性素材で塞いだ貫通孔
５      偶像
６      磁石
７      金属片
８      収納部分
９      本体
１０    扉
１１    光源
【図１】
2005118479.tif 000003
【図２】
2005118479.tif 000004
【図３】
2005118479.tif 000005
【図４】
2005118479.tif 000006
【図５】
2005118479.tif 000007
【図６】
2005118479.tif 000008
【図７】
2005118479.tif 000009
【図８】
2005118479.tif 000010
【図９】
2005118479.tif 000011
【図１０】
2005118479.tif 000012
【図１１】
2005118479.tif 000013
【図１２】
2005118479.tif 000014
【図１３】
2005118479.tif 000015
【図１４】
2005118479.tif 000016
【図１５】
2005118479.tif 000017
【図１６】
2005118479.tif 000018
【図１７】
2005118479.tif 000019
【図１８】
2005118479.tif 000020
【図１９】
2005118479.tif 000021
【図２０】
2005118479.tif 000022
【図２１】
2005118479.tif 000023
【図２２】
2005118479.tif 000024